(57)【要約】【課題】  追い焚きアダプターを浴槽の長辺側に設置しても入浴者の脚が接触することのないようにする。【解決手段】  追い焚きアダプター３を設置した浴槽１において、浴槽１の長辺側の内側面の一部を、追い焚きアダプター３の奥行寸法よりも大きく外側に凹ませた凹部２を設け、凹部２に追い焚きアダプター３を配置する。そのため、追い焚きアダプター３は、凹部２から出っ張ることがなく、入浴者の脚が追い焚きアダプター３に接触するのを防止することができる。【選択図】  図１
2015188482.tif 000002
【特許請求の範囲】
【請求項１】
追い焚きアダプターを設置した浴槽において、
浴槽の長辺側の内側面の一部を、前記追い焚きアダプターの奥行寸法よりも大きく外側に凹ませた凹部を設け、当該凹部に追い焚きアダプターを配置したことを特徴とする浴槽。
【請求項２】
前記浴槽は、洗い場の横に設置され、
前記浴槽の長辺側の内側面のうち、前記洗い場に対して奥側となる内側面に前記追い焚きアダプターを配置したことを特徴とする請求項１記載の浴槽。
【請求項３】
前記浴槽の長辺側の内側面に、当該内側面の下半部を内側に突出させたアームレストを分離させて設け、前記分離されたアームレストの間を前記凹部とし、当該凹部の底面に排水口を設けたことを特徴とする請求項２記載の浴槽。
【請求項４】
前記凹部を、前記浴槽の長辺方向の中央に設けたことを特徴とする請求項３記載の浴槽。
【発明の詳細な説明】
【技術分野】
【０００１】
本発明は、追い焚きアダプターを備えた浴槽に関する。
【背景技術】
【０００２】
浴槽には、追い焚きや給湯をするための追い焚き用アダプターが設置される。従来、その設置位置は、特許文献１に示されるように、腰掛け部の前壁部、あるいは、前壁に設けた凹陥部であった。
また、特許文献２に示されるように、安全性を配慮して、追い焚きアダプターの設置位置を、半身浴や全身浴時の座り位置の反対側となる短辺側にされることも多くなっている。
【先行技術文献】
【特許文献】
【０００３】
【特許文献１】特開平１０−９４４９５号公報
【特許文献２】特開２００８−２１２４０５号公報
【発明の概要】
【発明が解決しようとする課題】
【０００４】
しかし、入浴時に介助が必要な要介助者には、右半身に障害を持っている者と左半身に障害を持っている者とがいる。そのような者にとっては、障害を持つ部位によって、浴槽に左側から入浴するのが適する場合と、右側から入力するのが適する場合とがある。そのため、高齢者施設向けの浴槽は、左右両方の短辺側が背もたれとなっている。この場合、追い焚きアダプターを浴槽の片側に設置すると、背もたれに設置することになってしまうので、相応しくない。そこで、高齢者施設向けの浴槽では、追い焚きアダプターを浴槽の長辺側に設置するのが好ましい。
ところが、脚に障害を持っている者は、脚を自由に動かすことができず、そのため、給湯直後の熱い状態の追い焚きアダプターに脚が接触してしまい、不快に感じることがある。
【０００５】
そこで、本発明は、追い焚きアダプターを浴槽の長辺側に設置しても入浴者の脚が接触することのないようにすることを目的とする。
【課題を解決するための手段】
【０００６】
上記した課題を解決するために、本発明は、追い焚きアダプターを設置した浴槽において、浴槽の長辺側の内側面の一部を、前記追い焚きアダプターの奥行寸法よりも大きく外側に凹ませた凹部を設け、当該凹部に追い焚きアダプターを配置したことを特徴とする。
【０００７】
これによれば、追い焚きアダプターを浴槽の長辺側の内側面に配置したので、追い焚きアダプターが背もたれに配置されていない。そのため、浴槽に左側から入浴した者も、右側から入浴した者も、背もたれにもたれかけて楽な姿勢でゆったりと入浴することができる。この際、追い焚きアダプターは、浴槽の長辺側の内側面の一部を外側に凹ませた凹部に配置され、さらに、その凹部は追い焚きアダプターの奥行寸法よりも大きく凹ませているので、追い焚きアダプターは、凹部から出っ張ることがない。そのため、入浴者の脚が追い焚きアダプターに接触するのを防止することができる。よって、高齢者施設向けの浴室に設置されるのに好適である。
【０００８】
また、請求項２のように、前記浴槽は、洗い場の横に設置され、前記浴槽の長辺側の内側面のうち、前記洗い場に対して奥側となる内側面に前記追い焚きアダプターを配置することも好ましい。
【０００９】
これによれば、追い焚きアダプターは、洗い場に対して奥側となる浴槽の内側面に配置されるので、入浴者が浴槽をまたぐ際に追い焚きアダプターに接触するのを避けることができる。よって、入浴時に熱さを感じることなく、快適に入浴することが可能となる。
【００１０】
また、請求項３のように、前記浴槽の長辺側の内側面に、当該内側面の下半部を内側に突出させたアームレストを分離させて設け、前記分離させたアームレストの間を前記凹部とし、当該凹部の底面に排水口を設けることも好ましい。
【００１１】
これによれば、左右方向に分離させたアームレストの間を、追い焚きアダプターを配置する凹部とし、その凹部の底面に排水口を設けたので、身体に障害がある者が、入浴する際に排水口を踏むことを避けることができ、安全に入浴することが可能となる。また、分離されたアームレストの間を凹部としたので、凹部のために浴槽のフランジを広げる必要がない。そのため、従来どおりの大きさのフランジにして、浴槽の見た目の広さを大きくすることができる。
【００１２】
さらに、請求項４のように、前記凹部を、前記浴槽の長辺方向の中央に設けることも好ましい。
【００１３】
これによれば、浴槽に左側から入浴した者にとっても、右側から入浴した者にとっても、アームレストの大きさを同じにすることができ、両者とも快適に入浴することが可能となる。
【発明の効果】
【００１４】
本発明によれば、追い焚きアダプターを浴槽の長辺側に設置しても入浴者の脚が接触することのないようにすることが可能である。
【図面の簡単な説明】
【００１５】
【図１】本発明に関わる浴槽を示す模式図であり、浴槽と入浴者との配置を示した上面図である。
【図２】比較例における、浴槽と入浴者との配置を示した上面図である。
【図３】本発明の具体例に関わる浴槽の上面図である。
【図４】本発明の具体例に関わる浴槽の斜視図である。
【図５】本発明に関わる浴槽を洗い場付き浴室に設置した例を示す斜視図である。
【発明を実施するための形態】
【００１６】
以下、図面に基づいて、本発明の実施の形態を説明する。
【００１７】
図１は、本実施形態に関わる浴槽を示す模式図であり、浴槽と入浴者との配置を示した上面図である。
【００１８】
この浴槽１は、長手方向を向く内側面１ａに、アームレスト５を設けている。アームレスト５は、浴槽１の内側面１ａを浴槽中心側に膨らませて形成されている。すなわち、アームレスト５は、浴槽１の内側面１ａに設けられた凸部の上面である。このアームレスト５は、浴槽１の長手方向に２分されており、２つのアームレスト５，５の間に凹部２を形成している。この凹部２に、浴槽１に湯を供給する追い焚きアダプター３を設置している。
【００１９】
この凹部２の奥行寸法は、追い焚きアダプター３の奥行寸法よりも大きい。そのため、追い焚きアダプター３の前面は、凹部２に納まり、アームレスト５の内側面よりも浴槽中心側には突出していない。
【００２０】
また、凹部２の底面には、排水口４が設けられている。
【００２１】
次に、本発明の浴槽の説明を補うために、比較例について説明する。
図２は、比較例における、浴槽と入浴者との配置を示した上面図である。
この比較例では、浴槽にはアームレストが設けられておらず、浴槽の長辺方向を向く内側面１ａに追い焚きアダプター３が設置されている。
給湯直後の追い焚きアダプター３は５０〜６０℃くらいの高温になっているため、長時間接触することは好ましくないが、比較例の浴槽では、追い焚きアダプター３の前面は浴槽内に突出するので、入浴者の胴体あるいは脚が追い焚きアダプター３の前面に接触しやすい。
【００２２】
これに対して、本発明の浴槽では、図１のように、入浴者は、浴槽１の短辺に設けた背もたれ６にもたれかけて楽な姿勢でゆったりと入浴することができる。この際、アームレスト５に腕を載せれば、さらにリラックスした姿勢で入浴することができる。そして、追い焚きアダプター３は、浴槽１の長辺側の内側面１ａの一部を外側に凹ませた凹部２に配置され、さらに、その凹部２は追い焚きアダプター３の奥行寸法よりも大きく凹ませているので、追い焚きアダプター３は、凹部２から出っ張ることがない。そのため、入浴者の胴体や脚は、浴槽１の内側面に接触するが、追い焚きアダプター３は凹部２の中に設置されているので、入浴者の身体は追い焚きアダプター３には接触しない。
【００２３】
もちろん、浴槽１は、追い焚きアダプター３を浴槽１の長辺側の内側面１ａに配置しているので、追い焚きアダプター３は浴槽１の背もたれ６に配置されない。そのため、浴槽１に左側から入浴した者も、右側から入浴した者も、背もたれ６にもたれかけて楽な姿勢でゆったりと入浴することができる。
【００２４】
次に、本発明に関わる浴槽の具体例を参照して、本発明の浴槽についてさらに説明する。
図３は浴槽の上面図、図４は浴槽の斜視図、図５は浴槽を洗い場付き浴室に設置した例を示す斜視図である。
【００２５】
浴槽１は、洗い場７の横に設置される。
そして、浴槽１の凹部２は、浴槽１の長辺方向の内側面１ａの中央に設けられている。すなわち、２分されたアームレスト５，５はそれぞれ同じ長さを有する。そのため、入浴者はどちらの向きで入浴しても、一方のアームレスト５だけで充分に腕を載せることができ、快適に入浴することができる。
【００２６】
また、追い焚きアダプター３は、洗い場７に対して奥側となる浴槽の内側面１ａに配置されている。そのため、入浴者が浴槽１をまたぐ際に追い焚きアダプター３に接触することはなく、入浴時に熱さを感じずに快適に入浴することが可能となる。
【００２７】
また、凹部２の底面に排水口４を設けたので、身体に障害がある者が、入浴する際に排水口４を踏むのを避けることができ、安全に入浴することが可能となる。よって、高齢者施設向けの浴室に設置されるのに好適である。
【００２８】
また、分離されたアームレスト５の間を凹部２としたので、凹部２のために浴槽１のフランジを広げる必要がなく、従来どおりの大きさのフランジにすることができ、浴槽１の見た目の広さを大きくすることができる。
【００２９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【符号の説明】
【００３０】
１…浴槽
２…凹部
３…追い焚きアダプター
４…排水口
５…アームレスト
６…背もたれ
７…洗い場
【図１】
2015188482.tif 000003
【図２】
2015188482.tif 000004
【図３】
2015188482.tif 000005
【図４】
2015188482.tif 000006
【図５】
2015188482.tif 000007